(57)【特許請求の範囲】
【請求項１】
複数の蓄電素子を備えた蓄電素子群に、前記蓄電素子の状態を検知する検知電線が樹脂プロテクタに保持された配線モジュールが装着された蓄電モジュールと、前記検知電線に接続されて前記蓄電素子の状態を検知する制御機器と、の接続構造であって、
前記検知電線に接続されるとともに前記蓄電モジュールに一体的に設けられたモジュール側コネクタと、前記制御機器に一体的に設けられた機器側コネクタと、が嵌合されるようになっているものにおいて、
前記モジュール側コネクタは、前記検知電線の端末に接続された端子を収容するモジュール側ハウジングと、当該モジュール側ハウジングを公差吸収可能に内部に保持するホルダとを有し、
前記ホルダに設けられた固定部が、前記樹脂プロテクタに設けられた被固定部に固定されている蓄電モジュールと制御機器との接続構造。
【請求項２】
前記モジュール側ハウジングには、カム溝を有するレバーが支持軸を中心として回動可能に設けられており、
前記機器側コネクタは、前記モジュール側ハウジングと嵌合可能な機器側ハウジングを有し、前記機器側ハウジングにおける前記レバーと対向する位置には、前記カム溝に係合するカムピンが形成されており、
前記レバーの回動による前記カム溝と前記カムピンの係合に伴うカム作用によって前記モジュール側コネクタと前記機器側コネクタとの嵌合および離脱が行われるようになっている、請求項１に記載の蓄電モジュールと制御機器との接続構造。
【請求項３】
前記制御機器は前記配線モジュールと対向して配置されており、
前記モジュール側コネクタと前記機器側コネクタとの嵌合方向は、前記蓄電素子が並べられた並び方向に沿うように設定されている、請求項１または請求項２に記載の蓄電モジュールと制御機器との接続構造。
【請求項４】
前記制御機器は前記配線モジュールと対向して配置されており、
前記モジュール側コネクタと前記機器側コネクタとの嵌合方向は、前記配線モジュールが装着された前記蓄電素子の装着面と交差する方向に設定されている、請求項１または請求項２に記載の蓄電モジュールと制御機器との接続構造。
【請求項５】
前記制御機器は前記蓄電素子が並べられた並び方向に並んで配置されており、
前記モジュール側コネクタと前記機器側コネクタとの嵌合方向は、前記並び方向に沿うように設定されている、請求項１または請求項２に記載の蓄電モジュールと制御機器との接続構造。
【請求項６】
一の前記制御機器に対して複数の前記蓄電モジュールが接続されている請求項１ないし請求項５のいずれか一項に記載の蓄電モジュールと制御機器との接続構造。
【発明の詳細な説明】
【技術分野】
【０００１】
本明細書に開示される技術は、蓄電モジュールと制御機器との接続構造に関する。
【背景技術】
【０００２】
例えば電気自動車やハイブリッド自動車等の車両用の電池モジュールは、複数の単電池を有しており、これらの単電池の充放電状態を検出・制御するためのＥＣＵユニットと接続する多数の電線を備えている。これらの電線は例えば電池モジュールから引き出されて束ねられ、先端側に設けられた電池側コネクタがＥＣＵユニット側に設けた機器側コネクタに嵌合されることにより、ＥＣＵユニットと接続されるようになっている。
【先行技術文献】
【特許文献】
【０００３】
【特許文献１】特開２０１１−９１００３号公報
【発明の概要】
【発明が解決しようとする課題】
【０００４】
ところで、コネクタの嵌合作業は、電池側コネクタを手に持って機器側コネクタの開口に宛がい、これを押し込むことで行うことになるから、電池モジュールから導出する電線の余長をその引き回し作業に十分な長さだけ設けなければならない。しかし、コネクタの嵌合を行った後では、電池モジュールから導出されている電線の余長部分を配索するスペースが必要となり、場所をとるという問題がある。
【０００５】
本明細書に開示される技術は上記のような事情に基づいて完成されたものであって、配索スペースを要しない蓄電モジュールと制御機器との接続構造を提供することを目的とするものである。
【課題を解決するための手段】
【０００６】
本明細書に開示される技術は、複数の蓄電素子を備えた蓄電素子群に、前記蓄電素子の状態を検知する検知電線が樹脂プロテクタに保持された配線モジュールが装着された蓄電モジュールと、前記検知電線に接続されて前記蓄電素子の状態を検知する制御機器と、の接続構造であって、前記検知電線に接続されるとともに前記蓄電モジュールに一体的に設けられたモジュール側コネクタと、前記制御機器に一体的に設けられた機器側コネクタと、が嵌合されるようになっているものにおいて、前記モジュール側コネクタは、前記検知電線の端末に接続された端子を収容するモジュール側ハウジングと、当該モジュール側ハウジングを公差吸収可能に内部に保持するホルダとを有し、前記ホルダに設けられた固定部が、前記樹脂プロテクタに設けられた被固定部に固定されている。
【０００７】
上記構成によると、検知電線と接続されるモジュール側コネクタは蓄電モジュールに一体的に設けられているから、検知電線を蓄電モジュールの外部に引き出すことなく、制御機器（機器側コネクタ）と接続することができる。すなわち、蓄電モジュールの外側に検知電線の配索スペースを要さなくてすむ。
また、樹脂プロテクタとモジュール側コネクタとを別個に製造した後に一体化すればよいから、全てを一体に製造する場合と比較して、製造コストを低く抑えることができる。
さらに、製造公差や組み付け公差が生じた場合でも、これらの公差を吸収することができる。
【０００８】
上記蓄電モジュールと制御機器との接続構造は、以下の構成を備えていてもよい。
【０００９】
モジュール側コネクタは、検知電線の端末に接続された端子を収容するモジュール側ハウジングを有し、モジュール側ハウジングには、カム溝を有するレバーが支持軸を中心として回動可能に設けられており、機器側コネクタは、モジュール側ハウジングと嵌合可能な機器側ハウジングを有し、機器側ハウジングにおけるレバーと対向する位置には、カム溝に係合するカムピンが形成されており、レバーの回動によるカム溝とカムピンの係合に伴うカム作用によってモジュール側コネクタと機器側コネクタとの嵌合および離脱が行われるようになっている構成としてもよい。
【００１０】
上記構成によれば、検知電線の数が多数となった場合でも、モジュール側コネクタと機器側コネクタの嵌合および離脱はカム作用を利用して行われるから、作業の際に要する力を小さくすることができる。
【００１５】
電池側コネクタおよび機器側コネクタの嵌合方向は、以下のように設定してもよい。
【００１６】
制御機器が配線モジュールと対向して配置される場合には、モジュール側コネクタと機器側コネクタとの嵌合方向は、蓄電素子が並べられた並び方向に沿うように設定してもよい。
【００１７】
また、制御機器が配線モジュールと対向して配置される場合には、モジュール側コネクタと機器側コネクタとの嵌合方向は、配線モジュールが装着された蓄電素子の装着面と交差する方向に設定してもよい。
【００１８】
さらに、制御機器が、蓄電素子が並べられた並び方向に並んで配置される場合には、モジュール側コネクタと機器側コネクタとの嵌合方向は、並び方向に沿うように設定してもよい。
【００１９】
このような構成とすると、蓄電モジュールと制御機器とをコンパクトにまとめることができる。
【発明の効果】
【００２０】
本明細書に開示される技術によれば、蓄電モジュールの外側に検知電線の配索スペースを要さない蓄電モジュールと制御機器との接続構造を提供することができる。
【図面の簡単な説明】
【００２１】
【図１】実施形態１の電池モジュールおよびＥＣＵの接続構造を示す斜視図（嵌合前）
【図２】電池モジュールおよびＥＣＵの接続構造を示す平面図（嵌合前）
【図３】電池モジュールおよびＥＣＵの接続構造を示す右側面図（嵌合前）
【図４】嵌合前の電池側コネクタおよび機器側コネクタの斜視図
【図５】嵌合前の電池側コネクタおよび機器側コネクタの平面図
【図６】嵌合途中の電池側コネクタおよび機器側コネクタの斜視図
【図７】嵌合途中の電池側コネクタおよび機器側コネクタの平面図
【図８】嵌合前の電池側コネクタおよび機器側コネクタの正面図
【図９】図８のＡ−Ａ断面図
【図１０】図８のＢ−Ｂ断面図
【図１１】電池モジュールおよびＥＣＵの接続構造を示す斜視図（嵌合状態）
【図１２】電池モジュールおよびＥＣＵの接続構造を示す平面図（嵌合状態）
【図１３】電池モジュールおよびＥＣＵの接続構造を示す右側面図（嵌合状態）
【図１４】嵌合状態の電池側コネクタおよび機器側コネクタの斜視図
【図１５】嵌合状態の電池側コネクタおよび機器側コネクタの平面図
【図１６】図８のＢ−Ｂ断面に相当する嵌合状態の断面図
【図１７】実施形態２の電池モジュールおよびＥＣＵの接続構造を示す斜視図（嵌合前）
【図１８】電池モジュールおよびＥＣＵの接続構造を示す斜視図（嵌合状態）
【図１９】実施形態３の電池モジュールおよびＥＣＵの接続構造を示す斜視図（嵌合前）
【図２０】電池モジュールおよびＥＣＵの接続構造を示す斜視図（嵌合状態）
【発明を実施するための形態】
【００２２】
＜実施形態１＞
実施形態１について図１ないし図１６を参照して説明する。本実施形態の電池モジュール１０（蓄電モジュールの一例）は、例えば、電気自動車またはハイブリッド自動車等の駆動源として使用されるものである。以下においては、上下方向については図１を基準とし、前後方向については、相手側コネクタとの嵌合方向を前方、反対側を後方として説明する。
【００２３】
電池モジュール１０は、複数の単電池（蓄電素子の一例）が並べて配された単電池群１１（蓄電素子群の一例）を備えている。各単電池は上面に一対の電極端子（図示せず）を備えており、隣り合う単電池の電極端子間は、配線モジュール２０によって電気的に接続されている。単電池群１１はこの配線モジュール２０を介して、ＥＣＵ６０（制御機器の一例）に接続されている。
【００２４】
配線モジュール２０は、隣り合う電極端子間に架け渡される導電性の接続部材と、電極端子に接続されて単電池の状態を検知する検知電線と、これら接続部材および検知電線を収容する樹脂プロテクタ２１と、を備えている。なお、各図においてはこれらの構成要素の詳細を省略し、配線モジュール２０全体を矩形の筐状体として表示している。
【００２５】
配線モジュール２０のうち、単電池の並び方向（図２の上下方向）における一端側には、外部機器と接続するための丸棒状の外部接続端子２２が突出して設けられている。この外部接続端子２２は、配線モジュール２０の幅方向（図２の左右方向）における一端寄りに設けられている。
【００２６】
また配線モジュール２０のうち、同じく単電池の並び方向における一端側には、外部接続端子２２と隣接して、電池側コネクタ３０が一体に設けられている。
【００２７】
電池側コネクタ３０は、電池モジュール１０の検知電線をＥＣＵ６０に接続するためのコネクタであって、樹脂プロテクタ２１から側方に向けて突出して一体的に形成された取付台２３に固定されている（図１および図３参照）。
【００２８】
電池側コネクタ３０は、図４に示すように、横長の扁平なブロック状をなす端子収容部３２と、この端子収容部３２を取り囲む角筒状のフード部４０と、を有する電池側ハウジング３１と、電池側ハウジング３１を取り囲むホルダ５０と、を備えており、樹脂プロテクタ２１（取付台２３）に一体に取り付けられている。
【００２９】
端子収容部３２には前後方向に貫通する複数のキャビティ３３が形成されており、各キャビティ３３内に検知電線の端部に接続された雌端子が後方から挿入されて収容・保持されるようになっている。
【００３０】
また端子収容部３２のうち上下の両外面には、左右方向の両端部寄りにおいて前後方向に延びる一対の案内リブ３４が設けられている。これらの案内リブ３４は、上下面の異なる位置に形成されており、後述する機器側コネクタ６１と嵌合される際に、機器側コネクタ６１が正規の向きで嵌合されるように規制するようになっている。
【００３１】
また端子収容部３２のうち左右の両外面の高さ方向の中央部には、前方側から後方側に向けて傾斜しつつ立ち上がる案内突部３９が設けられている。
【００３２】
さらに、端子収容部３２のうち上下の両外面には、一対の案内リブ３４の間に位置するレバー３５がそれぞれ設けられている。これらのレバー３５には、一端側に向けて開口する所定の曲線状のカム溝３６が形成され、上下で点対称をなす姿勢で端子収容部３２に設けられた回動軸３７を中心として回動可能に支持されている（図９参照）。また、他端側には連結ピン３８が設けられており、フード部４０に設けられた連結溝に嵌め入れられて連結されている。また、機器側コネクタ６１との嵌合前においては、両レバー３５のカム溝３６の入り口は前方に向けて開口している。
【００３３】
一方フード部４０は、上述したように、端子収容部３２を取り囲む角筒状をなしており、その後端寄りには、外側に突出して後述するホルダ５０を係止する係止部４１（図１０参照）が上下の両面に一対ずつ、左右の側面に１つずつの合計６つ設けられている。
【００３４】
また、フード部４０の左右の側壁の内側には、前方に向けて片持ち状に延びる一対のロックアーム４２が設けられている（図１０参照）。ロックアーム４２は先端側が外側に向けて弾性変形可能とされており、機器側コネクタ６１が嵌合された際には、先端側に設けられた係止爪４２Ａが機器側ハウジング６２の係止突部６６に係止することにより、両コネクタ３０，６１を嵌合状態に保持する。なお、ロックアーム４２の幅寸法は、案内突部３９の幅寸法より大きく設定されている。
【００３５】
さらにフード部４０の外面には、前後方向に延びる複数の規制リブ４３が設けられている。これらの規制リブ４３は、フード部４０の前端縁よりやや後方寄りの位置から後方側に設けられており、全体が後述するホルダ５０内に配されている。これらの規制リブ４３は、ホルダ５０の内壁との間に隙間を有する高さ寸法に設定されている。規制リブ４３は、係止部４１の両側に配されるように、上下の両面に二対ずつ、左右の側面に一対ずつの合計１２本設けられている。
【００３６】
図９および図１０に示すように、上述した端子収容部３２は、フード部４０の後方内側に空間Ｓを残して、かつ、フード部４０の前端から前方に突出するように配されている。この空間Ｓには、キャビティ３３から導出された検知電線が収容可能である。また、ロックアーム４２の先端縁は、端子収容部３２の案内突部３９に当接するように設定されている（図４参照）。
【００３７】
上述した構成の電池側ハウジング３１は、ホルダ５０内に保持されて、樹脂プロテクタ２１に一体に取り付けられている。
【００３８】
ホルダ５０は、電池側ハウジング３１のフード部４０を取り囲む前後方向に延びる角筒状をなしており、上下の壁部に一対ずつ、また、左右の壁部に１つずつ、後方かつ内側に向けて切り起こされた弾性変形可能な係止片５１を備えている。これらの係止片５１は、フード部４０の係止部４１に係止することにより、その内側に電池側ハウジング３１を保持している。なお、電池側ハウジング３１（フード部４０）の後端は、ホルダ５０の後端付近に設けられた抜け止め部５５により、後方側に抜け止め状態とされている（図９および図１０参照）。
【００３９】
電池側ハウジング３１がホルダ５０内の正規位置に保持された状態においては、フード部４０の前方側はホルダ５０の前端からやや突出するように設定されている。
【００４０】
また、ホルダ５０は、左右方向における両端部付近に、その下面から下方に向けて延びる一対の固定脚５２（固定部の一例）を備えている。固定脚５２は円筒をその軸方向に沿って三等分割した形態をなして径方向の内側に向けて弾性変形可能とされており、その下端縁には外側に向けて張り出すフランジ部５３が設けられている。フランジ部５３の下端の周縁部は先端側に向けて斜めに切り欠かれており、後述する樹脂プロテクタ２１の嵌合凹部（被固定部の一例）に挿入する際の案内面とされている。
【００４１】
一方、機器側コネクタ６１は上記電池側ハウジング３１の端子収容部３２とフード部４０との間に挿入可能な角筒状の機器側ハウジング６２を有している。機器側ハウジング６２のうち上下の両壁部には、左右方向の両端寄りにおいて前後方向に延びて上述した電池側ハウジング３１の案内リブ３４を受け入れ可能な案内溝６３が形成されている。
【００４２】
また、案内溝６３の左右方向の外側には、前後方向に延びる支持リブ６４が設けられている。支持リブ６４は、電池側ハウジング３１のフード部４０の角部の内側に沿って嵌め入れられ、フード部４０の内側に機器側ハウジング６２を支持する。
【００４３】
また、機器側ハウジング６２のうち左右の両壁部は外側に向けて張り出す張出部６５とされるとともに、張出部６５のうち前方側はその端縁部から後方に向けてコ字形状に切り欠かれた切欠部６８とされており、この切欠部６８の上下の端面に、互いに対向する面に向けて突出する一対の係止突部６６が設けられている。
【００４４】
機器側ハウジング６２が電池側ハウジング３１と嵌合されると、切欠部６８内にロックアーム４２が進入するとともに、ロックアーム４２の先端の係止爪４２Ａが係止突部６６を乗り越えて係止することにより、両ハウジング３１，６２の嵌合状態が保持されるようになっている。
【００４５】
なお、これらの一対の係止突部６６間の距離は、端子収容部３２の案内突部３９の幅寸法より僅かに大きい寸法に設定されており、案内突部３９が一対の係止突部６６間に進入することにより、機器側ハウジング６２の電池側ハウジング３１に対する挿入姿勢が正規姿勢に導かれるようになっている。
【００４６】
さらに機器側ハウジング６２の上下の両外面には、上記レバー３５のカム溝３６に係合可能なカムピン６７が立設されている。
【００４７】
このような機器側コネクタ６１は、扁平な箱形をなすＥＣＵの一側壁に一対設けられている。すなわち、図１に示すように、１つのＥＣＵ６０に２つの電池モジュール１０が接続されるようになっている。
【００４８】
一方、樹脂プロテクタ２１には、上述したように、側方（単電池の並ぶ並び方向、図３の左側）に向けて突出する取付台２３が一体的に設けられている。取付台２３の上面には、ホルダ５０の固定脚５２を嵌め入れるための嵌合凹部が設けられている。ホルダ５０内に電池側ハウジング３１を保持した電池側コネクタ３０は、ホルダ５０の固定脚５２が取付台２３の嵌合凹部に嵌合されることにより、電池モジュール１０（樹脂プロテクタ２１）に一体的に、すなわち、直接的に取り付けられている。
【００４９】
電池側コネクタ３０は、機器側コネクタ６１との嵌合方向が単電池が並べられた並び方向に沿った方向（図３の左右方向）となる向きに、かつ、機器側コネクタ６１が電池モジュール１０側から嵌合する方向に向くように取り付けられている。また、機器側コネクタ６１との嵌合方向における背面側は、取付台２３に装着された背面カバー２４により覆われている。
【００５０】
本実施形態の電池モジュール１０およびＥＣＵ６０は、次のように接続される。まず、図１ないし図３に示すように、２つの電池モジュール１０を所定の間隔を隔てて並べて配する。この状態において、各電池モジュール１０の電池側コネクタ３０は配線モジュール２０の上面より上方に突出するように取り付けられており、その嵌合面は、配線モジュール２０の上面と垂直とされている。
【００５１】
一方、ＥＣＵ６０は配線モジュール２０と対向するように配されており、その一側面（図３の左側の面）に設けられた一対の機器側コネクタ６１は、電池側コネクタ３０と対向する方向に向けられている。
【００５２】
ＥＣＵ６０および電池側コネクタ３０は、単電池が並べられた並び方向（図３の左右方向）に沿って嵌合されるように設定されている。
【００５３】
具体的には、ＥＣＵ６０を電池側コネクタ３０に向けて近づけ、機器側ハウジング６２を電池側ハウジング３１に嵌合させると、まず、図６ないし図１０に示すように、所定の向きとされたレバー３５のカム溝３６の開口に機器側コネクタ６１のカムピン６７が進入する。さらにＥＣＵ６０（機器側コネクタ６１）を電池側コネクタ３０に押し込むと、レバー３５が回動されつつ、カム溝３６とカムピン６７との間でてこ作用により機器側コネクタ６１が電池側コネクタ３０側に引き込まれ、両コネクタ３０，６１が正規に嵌合される（図１１ないし図１６参照）。
【００５４】
なおこの時、端子収容部３２に設けられた案内リブ３４は機器側ハウジング６２の案内溝６３内に案内され、これにより、端子収容部３２と機器側ハウジング６２とは正規の姿勢で嵌合されるようになっている。また、機器側ハウジング６２に設けられた支持リブ６４は電池側ハウジング３１のフード部４０の角部の内側に嵌まり込み、機器側ハウジング６２がフード部４０内に支持されるようになっている。
【００５５】
さらに、フード部４０に設けられたロックアーム４２が機器側ハウジング６２の係止突部６６に係止することにより、電池側ハウジング３１と機器側ハウジング６２の嵌合状態が保持されるようになっている。なお、この時、端子収容部３２の案内突部３９が一対の係止突部６６の間に進入しつつロックアーム４２が弾性変形されるようになっているから、これによっても、電池側ハウジング３１と機器側ハウジング６２との嵌合姿勢を正規姿勢に導くことができる。
【００５６】
このような本実施形態の電池モジュール１０とＥＣＵ６０との接続構造によれば、電池モジュール１０とＥＣＵ６０とは、それぞれに一体的に設けられた電池側コネクタ３０と機器側コネクタ６１とを嵌合させることにより接続されるようになっているから、検知電線が電池モジュール１０から外部に引き出されて露出することがなく、もって、電池モジュール１０の外側に検知電線の配索スペースが不要となる。
【００５７】
また、検知電線の数が多くコネクタの端子が多数となった場合でも、電池側コネクタ３０と機器側コネクタ６１とはカム機構を利用して嵌合する構成とされているから、嵌合作業を楽に行うことができる。
【００５８】
また、電池側コネクタ３０はホルダ５０に設けられた固定脚５２を樹脂プロテクタ２１に設けられた取付台２３の嵌合凹部に固定する構成とされているから、電池側コネクタ３０と樹脂プロテクタ２１とを別個に製造した後に一体化すればよい。すなわち、全てを一体に製造する場合と比較して、製造コストを低く抑えることができる。
【００５９】
また、電池側ハウジング３１はホルダ５０内に公差吸収可能に保持される構成とされているから、製造公差や組み付け公差が生じた場合でも、これらの公差を吸収することができる。
【００６０】
さらに、ＥＣＵ６０を配線モジュール２０と対向するように配置し、電池側コネクタ３０と機器側コネクタ６１との嵌合方向が、単電池が並べられた並び方向に沿うように設定したから、全体をコンパクトにまとめることができる。
【００６１】
＜実施形態２＞
次に、実施形態２を図１７および図１８によって説明する。なお、以下においては実施形態１と異なる構成についてのみ説明するものとし、実施形態１と同様の構成には６０を足した符号を用いることとして、重複する説明を省略する。
【００６２】
本実施形態の電池モジュール７０とＥＣＵ１２０との接続構造は、上記実施形態とは電池側コネクタ９０および機器側コネクタ１２１の嵌合方向が相違している。
【００６３】
本実施形態の電池側コネクタ９０および機器側コネクタ１２１は、配線モジュール８０が装着された単電池群１１の装着面と交差する方向、具体的には、図１７の上下方向に嵌合されるようになっている。電池側コネクタ９０は、ホルダ１１０に対する固定脚１１２の設置位置以外は実施形態１と同様の構成とされている。固定脚１１２は、ホルダ１１０の角筒状の壁部に沿う方向に延びるように設けられている。これにより、電池側コネクタ９０は、配線モジュール８０の取付台８３に取り付けられた状態においては、嵌合面を上方に向けている。
【００６４】
一方、ＥＣＵ１２０に設けられる機器側コネクタ１２１は、その嵌合面を配線モジュール８０側に向けるように、ＥＣＵ１２０の下面側に設けられている。
【００６５】
このような本実施形態の電池モジュール７０とＥＣＵ１２０によれば、ＥＣＵ１２０は配線モジュール８０と対向して配置されており、電池側コネクタ９０と機器側コネクタ１２１との嵌合方向は、配線モジュール８０が装着された単電池群１１の装着面と交差する方向に設定されているから、このような構成によっても、全体をコンパクトにまとめることができる。
【００６６】
＜実施形態３＞
次に、実施形態３を図１９および図２０によって説明する。なお、以下においても実施形態１と異なる構成についてのみ説明するものとし、実施形態１と同様の構成には１２０を足した符号を用いることとして、重複する説明を省略する。
【００６７】
本実施形態では、ＥＣＵ１８０は、単電池が並べられた並び方向に並んで配置されているところが、上記実施形態と相違している。また、ＥＣＵ１８０の機器側コネクタ１８１は、その嵌合面を電池モジュール１３０の側面に向けて設けられている。
【００６８】
一方、電池側コネクタ１５０は、その嵌合面を実施形態１とは反対側、すなわち、側方に向けるように配線モジュール１４０に一体に設けられている。
【００６９】
このような本実施形態の電池モジュール１３０およびＥＣＵ１８０によれば、ＥＣＵ１８０は単電池が並べられた並び方向に並んで配置されており、電池側コネクタ１５０と機器側コネクタ１８１との嵌合方向は、その並び方向に沿うように設定されているから、このような構成によっても、全体をコンパクトにまとめることができる。
【００７０】
＜他の実施形態＞
本明細書に開示される技術は上記記述及び図面によって説明した実施形態に限定されるものではなく、例えば次のような実施形態も技術的範囲に含まれる。
【００７１】
（１）上記実施形態では、電池側コネクタと機器側コネクタとを、レバーとカムピンとのカム作用により嵌合および離脱させる構成としたが、レバーやカムピンは省略することもできる。
【００７２】
（２）上記実施形態では、電池側コネクタを樹脂プロテクタに一体的に取り付ける構成としたが、例えば、電池側コネクタを固定するための、例えば固定用フレーム等の別の部材を設ける構成としてもよい。
【００７３】
（３）上記実施形態では、電池側コネクタをホルダにより電池モジュール（樹脂プロテクタ）側に取り付ける構成としたが、ホルダを設けず、電池側ハウジングに直接固定部を設ける構成としてもよい。
【００７４】
（４）あるいは、電池側コネクタを例えば樹脂プロテクタと予め一体成形する構成としてもよい。
【００７５】
（５）単電池群（蓄電素子群）には、単電池（蓄電素子）と異なる部材が含まれていてもよい。
【００７６】
（６）電池側コネクタ、および、機器側コネクタの構成は上記実施形態に限るものではない。
【００７７】
（７）上記実施形態では、１つのＥＣＵに２つの電池モジュールを取り付ける構成としたが、ＥＣＵや電池モジュールの接続数は上記実施形態に限るものではない。
【符号の説明】
【００７８】
１０，７０，１３０：電池モジュール（蓄電モジュール）
１１：単電池群（蓄電素子）
２０，８０，１４０：配線モジュール
２１：樹脂プロテクタ
２３，８３：取付台（被固定部）
３０，９０，１５０：電池側コネクタ（モジュール側コネクタ）
３１：電池側ハウジング（モジュール側ハウジング）
３５：レバー
３６：カム溝
３７：回動軸
５０：ホルダ
５２：固定脚（固定部）
６０，１２０，１８０：ＥＣＵ（制御機器）
６１，１２１．１８１：機器側コネクタ
６２：機器側ハウジング
６７：カムピン
【図１】
0006658122.tif 000002
【図２】
0006658122.tif 000003
【図３】
0006658122.tif 000004
【図４】
0006658122.tif 000005
【図５】
0006658122.tif 000006
【図６】
0006658122.tif 000007
【図７】
0006658122.tif 000008
【図８】
0006658122.tif 000009
【図９】
0006658122.tif 000010
【図１０】
0006658122.tif 000011
【図１１】
0006658122.tif 000012
【図１２】
0006658122.tif 000013
【図１３】
0006658122.tif 000014
【図１４】
0006658122.tif 000015
【図１５】
0006658122.tif 000016
【図１６】
0006658122.tif 000017
【図１７】
0006658122.tif 000018
【図１８】
0006658122.tif 000019
【図１９】
0006658122.tif 000020
【図２０】
0006658122.tif 000021